(57)【要約】【課題】本発明は、再生時に装置がネットワークに接続されておらず、収集されなかった不足コンテンツを、装置がネットワークに接続されている状態で、簡単に収集することができる再生装置および再生方法を提供することを課題とする。【解決手段】操作部１４によってプレイリストに基づく再生が指示されると、データ管理部１６は、再生に先だって、プレイリストに記載された固有ＩＤに基づいて、プレイリストのコンテンツとデータファイル記録部１２１にデータファイルが記録されているコンテンツとを比較することで、不足コンテンツがあるか否かを判断すると共に、不足コンテンツがあると判断した場合には、送受信部１１がネットワーク２０と接続可能な状態であるか否かを判断し、ネットワーク２０と接続不能な状態であると判断した場合には、不足ファイルリスト記録部１２４に不足コンテンツの一覧を記録しておく。【選択図】        図１
2007200437.tif 000002
【特許請求の範囲】
【請求項１】
コンテンツのデータファイルを記録するデータファイル記録手段を有し、前記コンテンツの前記データファイルを前記データファイル記録部手段から読み出して再生する再生装置であって、
ネットワーク経由で前記コンテンツの前記データファイルを受信して、前記データファイル記録手段に記録する送受信手段と、
再生する前記コンテンツのリストであり、前記コンテンツを特定する固有ＩＤが少なくとも記載されているプレイリストを記録するプレイリスト記録手段と、
前記プレイリストに基づく再生が指示されると、再生に先だって、前記プレイリストに記載された前記固有ＩＤに基づいて、前記プレイリストの前記コンテンツと前記データファイル記録手段に前記データファイルが記録されている前記コンテンツとを比較する比較動作を実行して、前記プレイリストには記載されているが、前記データファイル記録手段に前記データファイルが記録されていない不足コンテンツがあるか否かを判断するコンテンツ比較手段と、
前記コンテンツ比較手段によって前記不足コンテンツがあると判断された場合に、前記送受信手段が前記ネットワークと接続可能な状態であるか否かを判断する接続判断手段と、該接続判断手段によって前記送受信手段が前記ネットワークと接続不能な状態であると判断された場合には、前記不足コンテンツの一覧を不足ファイル記録手段に記録させる前記不足コンテンツ管理手段とを具備することを特徴とする再生装置。
【請求項２】
前記不足コンテンツ管理手段は、前記不足コンテンツの固有ＩＤと、前記不足コンテンツが記載されている前記プレイリストを特定するプレイリスト特定情報とを前記不足ファイル記録手段に記録させることを特徴とする請求項１記載の再生装置。
【請求項３】
前記不足コンテンツ管理手段は、前記不足コンテンツの一覧が記述された不足ファイルリストを前記プレイスリト毎に作成し、作成した前記不足ファイルリストを不足ファイル記録手段に記録させることを特徴とする請求項１又は２記載の再生装置。
【請求項４】
前記不足コンテンツ管理手段は、前記不足コンテンツを前記不足ファイル記録手段に予め記録されている不足ファイルリストに記述させることを特徴とする請求項１又は２記載の再生装置。
【請求項５】
データファイル記録手段に記録している前記コンテンツの前記データファイルを読み出して再生する再生方法であって、
再生する前記コンテンツのリストであり、前記コンテンツを特定する固有ＩＤが少なくとも記載されているプレイリストに基づく再生が指示されると、再生に先だって、前記プレイリストに記載された前記固有ＩＤに基づいて、前記プレイリストの前記コンテンツと前記データファイル記録手段に前記データファイルが記録されている前記コンテンツとを比較する比較動作を実行することで、前記プレイリストには記載されているが、前記データファイル記録手段に前記データファイルが記録されていない不足コンテンツがあるか否かを判断し、
前記不足コンテンツがあると判断した場合に、ネットワークと接続可能な状態であるか否かを判断し、前記ネットワークと接続不能な状態であると判断した場合には、前記不足コンテンツの一覧を記録しておくことを特徴とする再生方法。
【請求項６】
前記不足コンテンツの固有ＩＤと、前記不足ファイルリストが記載されている前記プレイリストを特定するプレイリスト特定情報とを記録しておくことを特徴とする請求項５記載の再生方法。
【請求項７】
前記不足コンテンツの一覧が記述された不足ファイルリストを前記プレイスリト毎に作成して記録しておくことを特徴とする請求項１又は２記載の再生方法。
【請求項８】
前記不足コンテンツを予め記録している不足ファイルリストに記述することを特徴とする請求項１又は２記載の再生方法。
【発明の詳細な説明】
【技術分野】
【０００１】
本発明は、映像や音楽等のコンテンツのデータファイルを記録するデータファイル記録手段を有し、コンテンツのデータファイルをデータファイル記録部手段から読み出して再生する再生装置および再生方法に関し、特にネットワーク経由でコンテンツのデータファイルを受信して、データファイル記録手段に記録する機能を有する再生装置および再生方法に関する。
【背景技術】
【０００２】
近年、映像や音楽等のコンテンツを再生するオーディオプレーヤ等の再生装置においては、コンテンツのデータファイルを記録するデータファイル記録手段としてＨＤＤやシリコンメモリ等の大容量の記録手段が用いられるようになってきており、データファイル記録手段に大量のコンテンツ（データファイル）を記録しておくことができるようになっている。
【０００３】
このように大量に記録されたコンテンツの中から、場所や状況に応じて、ユーザが所望する複数のコンテンツのみを再生する機能としてプレイリストと呼ばれるものがある。プレイリストは、ユーザの好みに応じて選択された複数のコンテンツが記載されたリストであり、コンテンツが記録された場所を示す装置内アドレスやファイル名等が記述され、プレイリストに基づく再生が指示されると、プレイリストに記載された複数のコンテンツが順次再生される。
【０００４】
従来のプレイリストは、再生装置内にコンテンツが記録されていることが前提となっており、他の再生装置で用いることができない。すなわち、プレイリストに記載されているコンテンツが他の再生装置に記録されているとは限らないと共に、プレイリストに記載されているコンテンツが他の再生装置に記録されていたとしても、プレイスリストに記述されている装置内アドレスおよびファイル名は、プレイリストが作成された再生装置特有のものであり、他の再生装置においては、プレイスリストに記述されている装置内アドレスおよびファイル名で該当するコンテンツが記録されていないため、プレイリストに基づいた再生を行うことができない。
【０００５】
そこで、コンテンツを特定する固有ＩＤを記述することで、複数の再生装置で共用することができる新たなプレイリストが提案されている（例えば、特許文献１参照）。プレイリストに固有ＩＤを記述しておくことで、固有ＩＤに基づいてデータファイル記録手段に記録されたデータファイルを特定して再生することができると共に、データファイル記録手段にデータファイルが記録されていないコンテンツを固有ＩＤに基づいてネットワーク経由で収集して再生することができるようになっている。
【０００６】
しかしながら、従来技術では、プレイリストに基づく再生が指示されると、プレイリストに記載されたコンテンツの再生処理を順次実行し、プレイリストに記載され、コンテンツのデータファイルが装置内に記録されていない不足コンテンツの収集が、装置がネットワークに接続されていることが前提として、随時行われるようになっているため、再生時に装置がネットワークに接続されておらず、収集されなかった不足コンテンツは、装置がネットワークに接続されている状態で、且つ同一のプレイスリトの再生が再度指示されるまで、収集されることがなく、不足コンテンツの収集を簡単に行うことができないという問題があった。
【特許文献１】特開２００５−１００６１２号公報
【発明の開示】
【発明が解決しようとする課題】
【０００７】
本発明は斯かる問題点に鑑みてなされたものであり、その目的とするところは、再生時に装置がネットワークに接続されておらず、収集されなかった不足コンテンツを、装置がネットワークに接続されている状態で、簡単に収集することができる再生装置および再生方法を提供する点にある。
【課題を解決するための手段】
【０００８】
本発明は上記課題を解決すべく、以下に掲げる構成とした。
本発明の再生装置は、コンテンツのデータファイルを記録するデータファイル記録手段を有し、前記コンテンツの前記データファイルを前記データファイル記録部手段から読み出して再生する再生装置であって、ネットワーク経由で前記コンテンツの前記データファイルを受信して、前記データファイル記録手段に記録する送受信手段と、再生する前記コンテンツのリストであり、前記コンテンツを特定する固有ＩＤが少なくとも記載されているプレイリストを記録するプレイリスト記録手段と、前記プレイリストに基づく再生が指示されると、再生に先だって、前記プレイリストに記載された前記固有ＩＤに基づいて、前記プレイリストの前記コンテンツと前記データファイル記録手段に前記データファイルが記録されている前記コンテンツとを比較する比較動作を実行して、前記プレイリストには記載されているが、前記データファイル記録手段に前記データファイルが記録されていない不足コンテンツがあるか否かを判断するコンテンツ比較手段と、前記コンテンツ比較手段によって前記不足コンテンツがあると判断された場合に、前記送受信手段が前記ネットワークと接続可能な状態であるか否かを判断する接続判断手段と、該接続判断手段によって前記送受信手段が前記ネットワークと接続不能な状態であると判断された場合には、前記不足コンテンツの一覧を不足ファイル記録手段に記録させる不足コンテンツ管理手段とを具備することを特徴とする。
【０００９】
さらに、本発明の再生装置においては、前記不足コンテンツ管理手段は、前記不足コンテンツの固有ＩＤと、前記不足ファイルリストが記載されている前記プレイリストを特定するプレイリスト特定情報とを前記不足ファイル記録手段に記録させることを特徴とする。
【００１０】
さらに、本発明の再生装置においては、前記不足コンテンツ管理手段は、前記不足コンテンツの一覧が記述された不足ファイルリストを前記プレイスリト毎に作成し、作成した前記不足ファイルリストを不足ファイル記録手段に記録させることを特徴とする。
【００１１】
さらに、本発明の再生装置においては、前記不足コンテンツ管理手段は、前記不足コンテンツを前記不足ファイル記録手段に予め記録されている不足ファイルリストに記述させることを特徴とする。
【００１２】
また、本発明の再生方法は、データファイル記録手段に記録している前記コンテンツの前記データファイルを読み出して再生する再生方法であって、再生する前記コンテンツのリストであり、前記コンテンツを特定する固有ＩＤが少なくとも記載されているプレイリストに基づく再生が指示されると、再生に先だって、前記プレイリストに記載された前記固有ＩＤに基づいて、前記プレイリストの前記コンテンツと前記データファイル記録手段に前記データファイルが記録されている前記コンテンツとを比較する比較動作を実行することで、前記プレイリストには記載されているが、前記データファイル記録手段に前記データファイルが記録されていない不足コンテンツがあるか否かを判断し、前記不足コンテンツがあると判断した場合に、ネットワークと接続可能な状態であるか否かを判断し、前記ネットワークと接続不能な状態であると判断した場合には、前記不足コンテンツの一覧を記録しておくことを特徴とする。
【００１３】
さらに、本発明の再生方法においては、前記不足コンテンツの固有ＩＤと、前記不足ファイルリストが記載されている前記プレイリストを特定するプレイリスト特定情報とを記録しておくことを特徴とする。
【００１４】
さらに、本発明の再生方法においては、前記不足コンテンツの一覧が記述された不足ファイルリストを前記プレイスリト毎に作成して記録しておくことを特徴とする。
【００１５】
さらに、本発明の再生方法においては、前記不足コンテンツを予め記録している不足ファイルリストに記述することを特徴とする。
【発明の効果】
【００１６】
本発明の再生装置および再生方法は、プレイリストに基づく再生が指示されると、再生に先だって、プレイリストに記載された固有ＩＤに基づいて、プレイリストのコンテンツとデータファイル記録手段にデータファイルが記録されているコンテンツとを比較することで、プレイリストには記載されているが、データファイル記録手段にデータファイルが記録されていない不足コンテンツがあるか否かを判断すると共に、不足コンテンツがあると判断した場合には、ネットワークと接続可能な状態であるか否かを判断し、ネットワークと接続不能な状態であると判断した場合には、不足コンテンツの一覧を記録しておくように構成することにより、再生時に装置がネットワークに接続されておらず、収集されなかった不足コンテンツの記録によって、収集する不足コンテンツを簡単に把握することができるため、装置がネットワークに接続されている状態で、不足コンテンツを簡単に収集することができるという効果を奏する。
【００１７】
さらに、本発明の再生装置および再生方法は、不足コンテンツの固有ＩＤと、不足ファイルリストが記載されているプレイリストを特定するプレイリスト特定情報とを記録しておくように構成することにより、再生時に装置がネットワークに接続されておらず、収集されなかった不足コンテンツの記録によって、不足コンテンツを収集するための情報を簡単に把握することができると共に、収集した不足コンテンツの管理を簡単に行うことができるという効果を奏する。
【００１８】
さらに、本発明の再生装置および再生方法は、不足コンテンツの一覧が記述された不足ファイルリストをプレイスリト毎に作成して記録しておくように構成することにより、どのプレイリストにどのような不足コンテンツが存在するかを簡単に把握することができるという効果を奏する。
【００１９】
さらに、本発明の再生装置および再生方法は、不足コンテンツを予め記録している不足ファイルリストに記述するように構成することにより、全てのプレイリストの不足コンテンツを一括管理が可能となり、不足コンテンツが異なるプレイリストで重複した場合も一括で管理することができるという効果を奏する。
【発明を実施するための最良の形態】
【００２０】
以下、本発明の実施の形態を図面に基づいて詳細に説明する。
【００２１】
図１は、本発明に係る再生装置の実施の形態の構成を示すブロック図であり、図２は、図１に示すプレイリスト記録部に記録されるプレイリスト例を示す図であり、図３は、図１に示すコンテンツリスト記録部に記録されるコンテンツリスト例を示す図である。
【００２２】
本実施の形態の再生装置１０は、映像や音楽等のコンテンツを再生する携帯型の再生装置であり、図１を参照すると、インターネット等のネットワーク２０に接続可能に構成され、送受信部１１と、情報記録部１２と、液晶ディスプレイ等の表示部１３と、操作部１４と、再生処理部１５と、データ管理部１６とを備えている。
【００２３】
送受信部１１は、有線もしくは無線でネットワーク２０に接続する機能を有し、ネットワーク２０を介してコンテンツのデータファイルを配信するコンテンツ配信サーバ３０および第三者が所有するパソコン等の情報処理装置４０と情報通信を行い、コンテンツ配信サーバ３０からデータファイルおよびプレイリストを受信すると共に、情報処理装置４０からプレイリストを受信し、受信したデータファイルおよびプレイリストを情報記録部１２に記録させる。コンテンツ配信サーバ３０から受信されるデータファイルには、コンテンツを特定する固有ＩＤが含まれている。また、プレイリストは、コンテンツ配信業者や第三者が作成したコンテンツのリストであり、図２（ａ）に示すように、少なくともコンテンツを特定する固有ＩＤが記載されている。なお、図２には、コンテンツを特定する固有ＩＤのみからなるプレイリスト例を示したが、固有ＩＤ以外に、コンテンツ名、アーティスト名等の書誌データを記載するようにしても良い。
【００２４】
情報記録部１２は、ＨＤＤやシリコンメモリ等の記録手段であり、コンテンツ配信サーバ３０から受信したデータファイルが記録されるデータファイル記録部１２１と、コンテンツ配信サーバ３０および情報処理装置４０から受信したプレイリストが記録されるプレイリスト記録部１２２と、データファイル記録部１２１にデータファイルが記録されているコンテンツの一覧であるコンテンツリストが記録されるコンテンツリスト記録部１２３と、プレイリストには記載されているが、データファイル記録部１２１にデータファイルが記録されていないコンテンツの一覧が記述された不足ファイルリストが記録される不足ファイルリスト記録部１２４とからなる。以下、本明細書では、プレイリストには記載されているが、データファイル記録部１２１にデータファイルが記録されていないコンテンツを不足コンテンツと称する。
【００２５】
なお、コンテンツリストは、図３を参照すると、データファイル記録部１２１にデータファイルが記録されているコンテンツの固有ＩＤと、データファイル記録部１２１におけるデータファイルの記録位置を示す装置内アドレスとからなるリストであり、コンテンツリスト記録部１２３に新たに記録されたコンテンツの固有ＩＤおよび装置内アドレスが追記されると共に、コンテンツリスト記録部１２３から消去されたコンテンツの固有ＩＤおよび装置内アドレスが削除され、常にコンテンツリスト記録部１２３に記録されている全てのコンテンツが網羅されるようになっている。なお、図２には、コンテンツを特定する固有ＩＤと装置内アドレスとからなるコンテンツリスト例を示したが、固有ＩＤおよび装置内アドレス以外に、コンテンツ名、アーティスト名等の書誌データを記載するようにしても良い。
【００２６】
また、不足ファイルリストには、不足コンテンツの固有ＩＤと、不足コンテンツが記載されているプレイスリストを特定するためのプレイリスト名等のプレイリスト特定情報とが記述されており、不足コンテンツを含むプレイリスト毎に不足ファイルリストを作成してデータファイル記録部１２１に記録するようにしても良く、複数のプレイリストにそれぞれ含まれる不足コンテンツをデータファイル記録部１２１に記録されている１つの不足ファイルリストに記述させるようにしても良い。
【００２７】
表示部１３は、液晶ディスプレイ等の表示手段であり、再生処理部１５によって再生された映像が表示されると共に、コンテンツリスト記録部１２３に記録されているプレイリストが表示される。
【００２８】
操作部１４は、操作ボタン等の操作手段であり、表示部１３へのプレイリストの表示を指示する表示指示入力、表示部１３に表示されたプレイリストを選択する選択入力、選択したプレイリストの再生を指示する再生指示入力が行われる。
【００２９】
再生処理部１５は、情報記録部１２のデータファイル記録部１２１に記録されているデータファイルを伸長して再生し、映像は、表示部１３に表示させ、音声は、接続されたヘッドフォン５０に出力する。
【００３０】
データ管理部１６は、再生が指示されたプレイリストに記載されているコンテンツ（固有ＩＤ）と、コンテンツリスト記録部１２３に記録されたコンテンツリストに記載されているコンテンツ（固有ＩＤ）とを比較すると共に、送受信部１１がネットワーク２０と接続可能な状態であるか否かを判断し、プレイリストとコンテンツリストとの比較結果と、ネットワーク２０の接続状況とに応じて、再生処理部１５によるコンテンツの再生と、送受信部１１による不足コンテンツの収集とを制御する。
【００３１】
次に、本実施の形態の再生動作について図４および図５を参照して詳細に説明する。
図４は、本発明に係る再生装置の実施の形態における再生動作を説明するためのフローチャートであり、図５は、図１に示すプレイリスト記録部に記録される不足コンテンツ収集後のプレイリスト例を示す図である。
【００３２】
操作部１４によって選択されたプレイリストの再生が指示されると、データ管理部１６は、再生が指示されたプレイリストに記載されているコンテンツ（固有ＩＤ）と、コンテンツリスト記録部１２３に記録されたコンテンツリストに記載されているコンテンツ（固有ＩＤ）とを比較し（ステップＡ１）、データファイル記録部１２１にデータファイルが記録されているコンテンツの装置内アドレスをプレイリストに書き込む。例えば、図２（ａ）に示すプレイリストと、図３に示すコンテンツリストとが比較された場合には、固有ＩＤ「♯♯Ｂ」、「♯♯Ａ」、「♯♯Ｇ」、「♯♯Ｆ」のコンテンツが、コンテンツリストに記載され、データファイル記録部１２１にデータファイルが記録されているため、図２（ｂ）に示すように、固有ＩＤ「♯♯Ｂ」、「♯♯Ａ」、「♯♯Ｇ」、「♯♯Ｆ」のコンテンツに対して該当する装置内アドレスが書き込まれる。
【００３３】
次に、データ管理部１６は、プレイリストに記載されているが、コンテンツリストに記載されていないコンテンツ、すなわちプレイリストに記載されているがデータファイル記録部１２１にデータファイルが記録されていない不足コンテンツが存在するか否かを判断する（ステップＡ３）。なお、本実施の形態では、プレイリストとコンテンツリストとを比較することで不足コンテンツが存在するか否かを判断するように構成したが、データファイル記録部１２１にデータファイルと共に固有ＩＤを記録しておき、プレイリストとデータファイル記録部１２１に記録されている固有ＩＤとを比較することで、不足コンテンツが存在するか否かを判断するようにしても良い。
【００３４】
ステップＡ３で不足コンテンツが存在しない場合、すなわちプレイリストに記載されているコンテンツのデータファイルがデータファイル記録部１２１に全て記録されている場合には、プレイリストの全てのコンテンツに対して装置内アドレスが書き込まれていることになり、データ管理部１６は、プレイリストに基づく全てのコンテンツの再生を再生処理部１５に指示し、再生処理部１５は、プレイリストに書き込まれた装置内アドレスに基づいて、プレイリストに記載されている全てのコンテンツのデータファイルをデータファイル記録部１２１から読み出して順次再生し（ステップＡ４）、再生処理動作を終了する。
【００３５】
ステップＡ３で不足コンテンツが存在する場合には、データ管理部１６は、送受信部１１がネットワーク２０と接続可能な状態であるか否かを判断し（ステップＡ５）、ネットワーク２０と接続可能な状態でない場合には、不足コンテンツの一覧を記述した不足ファイルリストを作成し、作成した不足ファイルリストを不足ファイルリスト記録部１２４に記録すると共に（ステップＡ６）、プレイリストに記載されているコンテンツの内のデータファイル記録部１２１にデータファイルが記録されているコンテンツ、すなわちプレイリストの装置内アドレスが書き込まれているコンテンツの再生を再生処理部１５に指示し、再生処理部１５は、プレイリストの装置内アドレスが書き込まれているコンテンツのデータファイルのみをデータファイル記録部１２１から読み出して順次再生し（ステップＡ７）、再生処理動作を終了する。
【００３６】
ステップＡ５で送受信部１１がネットワーク２０と接続可能な状態である場合には、データ管理部１６は、不足コンテンツの固有ＩＤを送受信部１１に出力することで、送受信部１１に不足コンテンツの収集を指示すると共に、プレイリストに記載されている全てのコンテンツの再生を再生処理部１５に指示する。送受信部１１は、不足コンテンツを収集、すなわち固有ＩＤに基づいてコンテンツ配信サーバ３０に不足コンテンツのデータファイルの送信を要求し、コンテンツ配信サーバ３０から送信されてくる不足コンテンツのデータファイルを受信して情報記録部１２のデータファイル記録部１２１に記録させると共に、記録させたデータファイルの装置内アドレスをプレイリストに書き込む。これにより、データファイル記録部１２１には、プレイリストに記載されている全てのコンテンツが記録され、図５に示すように、プレイリストの全てのコンテンツに対して装置内アドレスが書き込まれることになり、再生処理部１５は、プレイリストに書き込まれた装置内アドレスに基づいて、プレイリストに記載されている全てのコンテンツのデータファイルをデータファイル記録部１２１から読み出して順次再生し（ステップＡ８）、再生処理動作を終了する。
【００３７】
次に、本実施の形態の不足コンテンツ収集動作と共に行う再生動作について図６および図７を参照して詳細に説明する。
図６は、本発明に係る再生装置の実施の形態における不足コンテンツ収集動行と共に行う再生動作を説明するためのフローチャートであり、図７は、本発明に係る再生装置の実施の形態における再生動作時の順番入れ替え処理を説明する説明図である。
【００３８】
図４に示すステップＡ７では、送受信部１１による不足コンテンツの収集動作と、再生処理部１５によるコンテンツの再生動作とが並行して行われるため、再生の順番や収集のスピードによっては、収集前もしくは収集途中でデータファイル記録部１２１に記録されていないコンテンツが再生対象になってしまう可能性があり、この場合には、再生順番の入れ替え処理が行われる。
【００３９】
まず、データ管理部１６は、変数ｎを１にセットし（ステップＢ１）、ｎ番目のコンテンツを再生対象として、プレイリストに記載されているｎ番目のコンテンツが存在しているか否か、すなわちデータファイル記録部１２１に記録されプレイリストに装置内ＩＤが書き込まれているか否かを判断し（ステップＢ２）、存在している場合には、プレイリストに記載されているｎ番目のコンテンツの再生を再生処理部１５に指示し、再生処理部１５は、ｎ番目のコンテンツの装置内アドレスに基づいて、プレイリストに記載されているｎ番目のコンテンツのデータファイルをデータファイル記録部１２１から読み出して再生する（ステップＢ３）。
【００４０】
データ管理部１６は、ｎ番目のコンテンツの再生終了を監視しており（ステップＢ４）、ｎ番目のコンテンツの再生が終了すると、次のコンテンツがあるか否か、すなわち再生していないコンテンツがプレイリストに記載されているか否かを判断し（ステップＢ５）、次のコンテンツがない場合には、再生動作を終了し、次のコンテンツがある場合には、ｎをインクリメントしてステップＢ１に戻る（ステップＢ６）。
【００４１】
ステップＢ１でプレイリストに記載されているｎ番目のコンテンツが存在していない場合には、再生対象のｎ番目のコンテンツが収集前もしくは収集途中であるため、再生対象のコンテンツの再生を後にする順番入れ替え処理を行って（ステップＢ７）、ｎをインクリメントしてステップＢ１に戻る（ステップＢ８）。これにより、再生対象のコンテンツが収集前もしくは収集途中であっても、データファイル記録部１２１にデータファイルが記録されている他のコンテンツが先だって再生され、再生が途切れることない。
【００４２】
なお、順番入れ替え処理としては、例えば、図２（ｂ）に示すように、２番目のコンテンツが存在していない場合に、２番目のコンテンツが再生対象になると、図７（ａ）に示すように、再生対象（２番目）のコンテンツを、再生が行われておらず、且つデータファイル記録部１２１に記録されているコンテンツの次の順番（４番目）に降番させるようにしても良く、また、図７（ｂ）に示すように、再生対象（２番目）のコンテンツを最も遅い順番（７番目）に降番させるようにしても良い。
【００４３】
次に、情報記録部１２の不足ファイルリスト記録部１２４に記録された不足ファイルリストに記載されている不足コンテンツの収集動作について図８を参照して詳細に説明する。
図８は、図１に示す不足ファイルリスト記録部１２４に記録された不足ファイルリストに記載されている不足コンテンツの収集動作を説明するためのフローチャートである。
【００４４】
再生装置１０の電源が立ち上げられると、データ管理部１６は、不足ファイルリストが存在するか否か、すなわち不足ファイルリスト記録部１２４に不足ファイルリストが記録されているか否かを判断し（ステップＣ１）、不足ファイルリストが存在する場合には、再生装置１０がオンライン状態であるか否か、すなわちネットワーク２０経由でコンテンツ配信サーバ３０と通信可能な状態であるか否かを判断する（ステップＣ２）。なお、本実施の形態では、再生装置１０の電源が立ち上げ時に購入予約情報が存在するか否かを判断するように構成したが、予め定められた所定時刻への到達や、ユーザの操作によって不足ファイルリストが存在するか否かを判断するようにしても良い。
【００４５】
ステップＣ１で不足ファイルリストが存在しない場合と、ステップＣ２で再生装置１０が通信可能でない場合には、データ管理部１６は、不足ファイルリストに記載されている不足コンテンツの収集動作を終了し、ステップＣ２で再生装置１０がオンライン状態である場合には、送受信部１１によって固有ＩＤを含む不足コンテンツ送信要求をネットワーク２０経由でコンテンツ配信サーバ３０に送信させる（ステップＣ３）。
【００４６】
コンテンツ配信サーバ３０は、再生装置１０からの不足コンテンツ送信要求が受信されると、不足コンテンツ送信要求の固有ＩＤで特定されるコンテンツのデータファイルを再生装置１０に送信し、再生装置１０の送受信部１１は、不足コンテンツのデータファイルを受信する。
【００４７】
データ管理部１６は、送受信部１１によってコンテンツ配信サーバ３０から不足コンテンツのデータファイルが受信されると（ステップＣ４）、データファイル記録部１２１に受信した不足コンテンツのデータファイルを記録させると共に（ステップＣ５）、記録させたデータファイルの装置内アドレスをプレイリストに書き込み、さらに、不足ファイルリストを不足ファイルリスト記録部１２４から削除して（ステップＣ６）、不足コンテンツ収集動作を終了する。
【００４８】
次に、再生が指示されていない未再生のプレイリストに含まれている不足コンテンツを収集する不足コンテンツ収集動作について図９を参照して詳細に説明する。
図９は、図１に示すプレイリスト記録部１２２に記録された未再生のプレイリストに含まれている不足コンテンツを収集する不足コンテンツ収集動作を説明するためのフローチャートである。
【００４９】
上述したように再生が指示されたプレイリストに含まれている不足コンテンツは、送受信部１１がネットワーク２０と接続可能な状態である場合に収集されることになるが、再生が指示されていないプレイリストに含まれている不足コンテンツも所定のタイミングで不足コンテンツ収集動作を行うようにしても良い。
【００５０】
再生装置１０の電源が立ち上げられると、データ管理部１６は、再生が指示されていない未再生のプレイリストが存在するか否か、すなわちプレイリスト記録部１２２に未再生のプレイリストが記録されているか否かを判断し（ステップＤ１）、未再生のプレイリストが存在する場合には、再生装置１０がオンライン状態であるか否か、すなわちネットワーク２０経由でコンテンツ配信サーバ３０と通信可能な状態であるか否かを判断する（ステップＤ２）。なお、本実施の形態では、再生装置１０の電源が立ち上げ時に未再生のプレイリストが存在するか否かを判断するように構成したが、予め定められた所定時刻への到達や、ユーザの操作によって未再生のプレイリストが存在するか否かを判断するようにしても良い。
【００５１】
データ管理部１６は、未再生のプレイリストに記載されているコンテンツ（固有ＩＤ）と、コンテンツリスト記録部１２３に記録されたコンテンツリストに記載されているコンテンツ（固有ＩＤ）とを比較し（ステップＤ３）、データファイル記録部１２１にデータファイルが記録されているコンテンツの装置内アドレスをプレイリストに書き込む。
【００５２】
次に、データ管理部１６は、未再生のプレイリストに記載されているが、コンテンツリストに記載されていないコンテンツ、すなわちプレイリストに記載されているがデータファイル記録部１２１にデータファイルが記録されていない不足コンテンツが存在するか否かを判断する（ステップＤ４）。
【００５３】
ステップＤ１で未再生のプレイリストがない場合と、ステップＤ２で再生装置１０が通信可能でない場合と、ステップＤ４で不足コンテンツが存在しない場合とには、データ管理部１６は、不足コンテンツ収集動作を終了する。
【００５４】
ステップＤ４で不足コンテンツが存在する場合には、送受信部１１によって固有ＩＤを含む不足コンテンツ送信要求をネットワーク２０経由でコンテンツ配信サーバ３０に送信させる（ステップＤ５）。
【００５５】
コンテンツ配信サーバ３０は、再生装置１０からの不足コンテンツ送信要求が受信されると、不足コンテンツ送信要求の固有ＩＤで特定されるコンテンツのデータファイルを再生装置１０に送信し、再生装置１０の送受信部１１は、不足コンテンツのデータファイルを受信する。
【００５６】
データ管理部１６は、送受信部１１によってコンテンツ配信サーバ３０から不足コンテンツのデータファイルが受信されると（ステップＤ６）、データファイル記録部１２１に受信した不足コンテンツのデータファイルを記録させると共に（ステップＤ７）、記録させたデータファイルの装置内アドレスをプレイリストに書き込み、不足コンテンツ収集動作を終了する。
【００５７】
以上説明したように、本実施の形態によれば、操作部１４によってプレイリストに基づく再生が指示されると、データ管理部１６は、再生に先だって、プレイリストに記載された固有ＩＤに基づいて、プレイリストのコンテンツとデータファイル記録部１２１にデータファイルが記録されているコンテンツとを比較することで、プレイリストには記載されているが、データファイル記録部１２１にデータファイルが記録されていない不足コンテンツがあるか否かを判断すると共に、不足コンテンツがあると判断した場合には、送受信部１１がネットワーク２０と接続可能な状態であるか否かを判断し、ネットワーク２０と接続不能な状態であると判断した場合には、不足ファイルリスト記録部１２４に不足コンテンツの一覧を記録しておくように構成することにより、再生時に再生装置１０がネットワーク２０に接続されておらず、収集されなかった不足コンテンツの一覧が不足ファイルリスト記録部１２４に記録されているため、収集する不足コンテンツを簡単に把握することができ、再生装置１０がネットワーク２０に接続されている状態で、不足コンテンツを簡単に収集することができるという効果を奏する。
【００５８】
さらに、本実施の形態によれば、データ管理部１６は、不足ファイルリスト記録部１２４に不足コンテンツの固有ＩＤと、不足ファイルリストが記載されているプレイリストを特定するプレイリスト特定情報とを記録しておくように構成することにより、不足ファイルリスト記録部１２４に記録された不足コンテンツの情報によって、不足コンテンツを収集するための情報を簡単に把握することができると共に、収集した不足コンテンツの管理を簡単に行うことができるという効果を奏する。
【００５９】
さらに、本実施の形態によれば、データ管理部１６は、不足コンテンツの一覧が記述された不足ファイルリストをプレイスリト毎に作成して、作成した不足ファイルリストを不足ファイルリスト記録部１２４に記録しておくように構成することにより、どのプレイリストにどのような不足コンテンツが存在するかを簡単に把握することができるという効果を奏する。
【００６０】
さらに、本実施の形態によれば、データ管理部１６は、不足ファイルリスト記録部１２４に予め記録している不足ファイルリストに不足コンテンツを記述するように構成することにより、全てのプレイリストの不足コンテンツを一括管理が可能となり、不足コンテンツが異なるプレイリストで重複した場合も一括で管理することができるという効果を奏する。
【００６１】
なお、本実施の形態では、不足コンテンツが存在し、且つネットワーク２０と接続可能な状態である場合に、順番入れ替え処理を行いながら、プレイリストに記載されている全てのコンテンツを順次再生するように構成したが、データファイル記録部１２１にデータファイルが記録されているコンテンツを優先して順次再生し、当該再生に並行して不足コンテンツのデータファイルを収集するようにしても良い。この場合には、データファイル記録部１２１にデータファイルが記録されているコンテンツを再生している間に、不足コンテンツのデータファイルが収集され、データファイル記録部１２１にデータファイルが記録されているコンテンツの再生終了後、データファイル収集した不足コンテンツを遅滞なく再生することができる。また、不足コンテンツが存在し、且つネットワーク２０と接続可能な状態である場合に、データファイル記録部１２１にデータファイルが記録されているコンテンツをのみを順次再生し、当該再生に並行して不足コンテンツのデータファイルを収集するようにしても良い。この場合には、同じプレイリストを次回に再生する際に、プレイリストに記載されている全てのコンテンツのデータファイルがデータファイル記録部１２１に記録されていることになる。
【００６２】
また、本実施の形態では、プレイリストの再生を指示する再生指示入力が行われてから、プレイリストとコンテンツリストとを比較するように構成したが、プレイリストの受信時もしくはアイドリング時等の空き時間に、プレイリストとコンテンツリストとを比較し、データファイル記録部１２１にデータファイルが記録されているコンテンツの装置内アドレスをプレイリストに書き込んでおき、装置内アドレスが書き込まれていないコンテンツを不足ファイルリストとして認識するようにしても良い。この場合には、プレイリストの再生を指示する再生指示入力が行われてから、プレイリストとコンテンツリストとの比較動作を省略することができるため、再生が開始されるまでの時間を短縮することができる。但し、この場合には、データファイル記録部１２１に記録されているデータファイルが変更（追加、削除）されると、プレイリストとコンテンツリストとの比較を再度行う必要がある。
【００６３】
また、本実施の形態では、プレイリストとコンテンツリストとの比較が終わってから、プレイリストの再生を行うように構成したが、プレイリストとコンテンツリストとの比較によって、データファイル記録部１２１にデータファイルが記録されているコンテンツが見つかった段階で、当該コンテンツの再生を開始するようにすると、プレイリストの再生を指示する再生指示入力が行われてから再生が開始されるまでの時間を短縮することができる。
【００６４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００６５】
【図１】本発明に係る再生装置の実施の形態の構成を示すブロック図である。
【図２】図１に示すプレイリスト記録部に記録されるプレイリスト例を示す図である。
【図３】図１に示すコンテンツリスト記録部に記録されるコンテンツリスト例を示す図である。
【図４】本発明に係る再生装置の実施の形態における再生動作を説明するためのフローチャートである。
【図５】図１に示すプレイリスト記録部に記録される不足コンテンツ収集後のプレイリスト例を示す図である。
【図６】本発明に係る再生装置の実施の形態における不足コンテンツ収集動作と共に行う再生動作を説明するためのフローチャートである。
【図７】本発明に係る再生装置の実施の形態における再生動作時の順番入れ替え処理を説明する説明図である。
【図８】図１に示す不足ファイルリスト記録部に記録された不足ファイルリストに記載されている不足コンテンツの収集動作を説明するためのフローチャートである。
【図９】図１に示すプレイリスト記録部に記録された未再生のプレイリストに含まれている不足コンテンツを収集する不足コンテンツ収集動作を説明するためのフローチャートである。
【符号の説明】
【００６６】
１０  再生装置
１１  送受信部
１２  情報記録部
１３  表示部
１４  操作部
１５  再生処理部
１６  データ管理部
２０  ネットワーク
３０  コンテンツ配信サーバ
４０  情報処理装置
５０  ヘッドフォン
１２１  データファイル記録部
１２２  プレイリスト記録部
１２３  コンテンツリスト記録部
１２４  不足ファイルリスト記録部
【図１】
2007200437.tif 000003
【図２】
2007200437.tif 000004
【図３】
2007200437.tif 000005
【図４】
2007200437.tif 000006
【図５】
2007200437.tif 000007
【図６】
2007200437.tif 000008
【図７】
2007200437.tif 000009
【図８】
2007200437.tif 000010
【図９】
2007200437.tif 000011